(57)【要約】【課題】ステータコイルとして角巻線を利用したモータにおいて、冷却媒体によるステータの冷却効率を向上させる。【解決手段】ステータコア１３の近傍には、角巻線７０の少なくとも一部がステータコア１３の端面に対して突起した突起部２４を形成するように配置され、突起部２４が、ステータコア１３に対し傾斜するように配置されてなる。角巻線７０は、好ましくは平角線であり、平角線の断面長辺側に相当する面が、上面７１および下面７１’を構成するように配置され、冷却媒体３２が上面７１を伝いステータコア１３側に流れるように突起部２４をステータコア１３に対し傾斜させてなる。【選択図】図３
2011229299.tif 000002
【特許請求の範囲】
【請求項１】
ステータコアと、前記ステータコアに巻回させた、ほぼ断面矩形状の角巻線からなるコイルとを含み、内側部分に中空部分を形成するように配設されたステータと、
前記中空部分に配置され、前記ステータと対面して回転可能なロータと、
前記ステータの上方の、前記ステータを冷却する冷却媒体を吐出させるための冷媒吐出口と、
を備え、
前記角巻線が、前記ステータコアに対してスパイラル状に巻回されてなり、
前記ステータコアの近傍には、前記角巻線の少なくとも一部が、前記ステータコアの端面に対して突起した突起部を形成するように配置され、
前記角巻線の前記突起部が、前記ステータコアに対し傾斜するように配置されてなることを特徴とするモータ。
【請求項２】
前記角巻線が、断面長辺側と断面短辺側とを有する平角巻線であり、
前記平角巻線の断面長辺側に相当する面が、上面および下面を構成するように配置され、
前記冷却媒体が前記上面を伝い前記ステータコア側に流れるように前記突起部を前記ステータコアに対し傾斜させてなることを特徴とする請求項１に記載のモータ。
【請求項３】
前記突起部が、複数の角巻線の端部を電気的に接合させた接合部であることを特徴とする請求項１または２に記載のモータ。
【発明の詳細な説明】
【技術分野】
【０００１】
本発明は、モータに関する。
【背景技術】
【０００２】
一般的なモータの一例について説明する。図６に例示するモータ１０は、内側部分に中空部分を形成する、固定子としてのステータ１２と、ステータ１２の内側部分と対面し、シャフト１６を軸として回転可能な、回転子としてのロータ１４とを備える。
【０００３】
ステータ１２は、ステータコア１３と、ステータコア１３を巻回するコイル２２（「ステータコイル」とも称する）とを含み、構成されている。また、ステータコア１３の両端に突出するようにコイルエンド２２ａ，２２ｂが形成されている。コイル２２は例えば、図示しないＵ相コイル、Ｖ相コイル、Ｗ相コイルからなる三相コイルなど、複数の相コイルを構成する複数の巻線により形成させることができる。
【０００４】
ところで、モータの作動に伴うステータの過熱を抑えるために、例えばＡＴＦ、ギヤオイルなどの既存の潤滑剤を、冷却媒体（冷媒）としてステータの両端部分から突出するコイルエンドに向けて吐出させ、冷却する技術が知られている。例えば、特許文献１では、冷却媒体を吐出させる冷媒吐出口が、ステータの上方に配置されたものが開示されている。
【０００５】
また、このようなシステム構成を含むモータにおいて、巻線をステータコアに対してスパイラル状に巻回させる、いわゆるスパイラル巻線により構成されたコイルを備えるステータが知られている（例えば、引用文献２等参照）。
【０００６】
一方、モータ特性の向上を目的として、銅などの良好な電気伝導性を有する導線を、例えば絶縁性を有するエナメル樹脂の薄膜などで被覆した従来の丸巻線に代えて、図１に例示するような断面形状を有する角巻線７０をステータコイルに適用することが試みられている。図１に示す角巻線７０は、断面がほぼ矩形状の導体６２と、導体６２の外周を被覆し、絶縁する絶縁体層６４からなる。絶縁体層６４は、必要に応じて、導体６２側から順に第１の絶縁体層６６および第２の絶縁体層６８から形成されうる。第１の絶縁体層６６は、例えば、エナメル樹脂により形成することができ、第２の絶縁体層６８は、例えばポリフェニレンサルファイド（ＰＰＳ）樹脂など、第１の絶縁体層６６よりも剛性が高く、熱伝導性が低い絶縁材料により構成することができる。
【０００７】
上述したようなスパイラル巻線を形成する場合には、ステータコアの近傍に、各巻線の末端部が引き出され、別の巻線から延出する渡り線と電気的に接合される。図１に示すような角巻線７０を利用してこのようなスパイラル巻線を形成させる場合には、角巻線の末端部分と別の角巻線の末端部分との接合部が、コイルエンドの径方向外周側に折り曲げられる（例えば、特許文献３等参照）。このとき、図４に例示するように、角巻線７０の接合部（図示せず）が、ステータコア１３の端面１５に対して突起するように配置された突起部１２４が形成される場合がある。
【先行技術文献】
【特許文献】
【０００８】
【特許文献１】特開２００６−１９７７７２号公報
【特許文献２】特開平１１−２６６５７４号公報
【特許文献３】特開２００９−２１９３４３号公報
【発明の概要】
【発明が解決しようとする課題】
【０００９】
図５は、図４に示すステータコア１３および角巻線７０の突起部１２４に着目して側面視した概略図である。ステータコア１３および突起部１２４を除き、他の構成については省略して示している。
【００１０】
ステータコイルとして用いられる角巻線７０は、断面長辺側１７１と断面短辺側１７２とを有する平角巻線（平角線）が一般的である。図５に例示するように、突起部１２４は通常、角巻線７０の断面長辺側が、ステータコア１３に対し、平行となるように整列している。このとき、ステータコア１３の上部に配置された冷媒吐出口３０（図４参照）から吐出された冷却媒体３２は、角巻線７０の表面を順に伝いながら流れ落ちる。このため、突起部１２４よりもステータコア１３に近い部分に巻回されている図示しない巻線部分や、ステータコア１３側には冷却媒体３２がほとんど行き渡らず、ステータ全体としての冷却効率が十分でない場合がありえた。
【００１１】
本発明は、ステータコイルとして角巻線を利用したモータにおいて、冷却媒体によるステータの冷却効率を向上させることを目的とする。
【課題を解決するための手段】
【００１２】
本発明の構成は、以下の通りである。
【００１３】
（１）ステータコアと、前記ステータコアに巻回させた、ほぼ断面矩形状の角巻線からなるコイルとを含み、内側部分に中空部分を形成するように配設されたステータと、前記中空部分に配置され、前記ステータと対面して回転可能なロータと、前記ステータの上方の、前記ステータを冷却する冷却媒体を吐出させるための冷媒吐出口と、を備え、前記角巻線が、前記ステータコアに対してスパイラル状に巻回されてなり、前記ステータコアの近傍には、前記角巻線の少なくとも一部が、前記ステータコアの端面に対して突起した突起部を形成するように配置され、前記角巻線の前記突起部が、前記ステータコアに対し傾斜するように配置されてなる、モータ。
【００１４】
（２）前記角巻線が、断面長辺側と断面短辺側とを有する平角巻線であり、前記平角巻線の断面長辺側に相当する面が、上面および下面を構成するように配置され、前記冷却媒体が前記上面を伝い前記ステータコア側に流れるように前記突起部を前記ステータコアに対し傾斜させてなる、上記（１）に記載のモータ。
【００１５】
（３）前記突起部が、複数の角巻線の端部を電気的に接合させた接合部である、上記（１）または（２）に記載のモータ。
【発明の効果】
【００１６】
本発明によれば、ステータコイルとして角巻線を利用したモータにおいて、冷却媒体によるステータの冷却効率を向上させることが可能となる。
【図面の簡単な説明】
【００１７】
【図１】角巻線７０の構成の概略を説明するための断面図である。
【図２】本発明の実施の形態におけるステータコア１３と突起部２４の配置について説明するための図である。
【図３】図２を側面視した図である。
【図４】従来のステータコア１３と突起部１２４の配置について説明するための図である。
【図５】図４を側面視した図である。
【図６】モータ１０の構成の概略について説明するための図である。
【発明を実施するための形態】
【００１８】
以下、本発明の実施の形態について、図面を用いて説明する。
【００１９】
図２は、本発明の実施の形態におけるステータコア１３と突起部２４の配置について説明するための図である。ステータコア１３の端面１５に対して突起するように配置された角巻線７０の突起部１２４に代えて突起部２４が形成されていることを除き、図４とほぼ同様の配置関係を有している。
【００２０】
突起部１２４と突起部２４との相違について、図３を用いてさらに説明する。図３は、図２に示すステータコア１３および角巻線７０の突起部２４に着目して側面視した概略図である。図５と同様に、ステータコア１３および突起部２４を除き、他の構成については省略して示している。
【００２１】
図３に示すように、突起部２４は、角巻線７０の断面長辺側が、ステータコア１３に対し、上面７１及び下面７１’を形成するように傾斜して整列している。このとき、ステータコア１３の上部に配置された冷媒吐出口３０（図２参照）から吐出された冷却媒体３２は、角巻線７０の表面、特に上面７１を順に伝いながら流れ落ちる。このとき、突起部２４がステータコア１３に対して傾斜して配置されていることにより、上面７１を伝った冷却媒体３２の一部が、ステータコア１３側に向けて流れ込む。このため、ステータコア１３に近い部分に巻回されている図示しない巻線部分や、ステータコア１３に冷却媒体３２が行き渡り、ステータ全体としての冷却効率が向上する。
【００２２】
本発明の実施の形態として、図２，３に示す突起部２４を形成させる手法の一例としては、まず、図４，５に示すような突起部１２４を形成させた後、この突起部１２４およびその近傍の角巻線７０を適度にひねることにより、ステータコア１３に対して冷却媒体３２が適切に流れ込むように傾斜させるものであってもよいが、これに限定されるものではなく、図２，３に示すような突起部２４を形成させることができればいかなる手法であっても良い。また、ステータコア１３に対する各突起部２４の傾斜角度はそれぞれ、同じであっても異なっていても良いが、隣接する突起部２４が接触しないことが好ましい。
【産業上の利用可能性】
【００２３】
本発明は、ステータコイルとして角巻線を利用したモータにおいて利用することが可能である。
【符号の説明】
【００２４】
１０  モータ、１２  ステータ、１３  ステータコア、１４  ロータ、１５  端面、１６  シャフト、２２  コイル、２２ａ，２２ｂ  コイルエンド、２４，１２４  突起部、３０  冷媒吐出口、３２  冷却媒体、６２  導体、６４  絶縁体層、６６  第１の絶縁体層、６８  第２の絶縁体層、７０  角巻線、７１  上面、７１’  下面、１７１  断面長辺側、１７２  断面短辺側。
【図１】
2011229299.tif 000003
【図２】
2011229299.tif 000004
【図３】
2011229299.tif 000005
【図４】
2011229299.tif 000006
【図５】
2011229299.tif 000007
【図６】
2011229299.tif 000008